(57)【要約】【課題】  現用系と非同期の状態にある系統を即座に現用系に同期させて冗長性を確保し直すことを可能にする。【解決手段】  実施形態の制御装置は、複数の再生装置が同期して同じ素材を再生するように制御することが可能な冗長性を有する放送システムに適用される制御装置であって、第１の再生装置が現用系として素材を再生中であるのに対してその再生に同期した再生を第２の再生装置が行っていない状態において、所定の信号を受信した場合に、前記第１の再生装置が当該素材の再生を開始したときの再生開始時刻と当該素材の再生開始位置と現在時刻とに基づいて、前記第１の再生装置が現在再生している当該素材の再生位置を求め、前記第２の再生装置に前記求めた再生位置と同じ位置から同じ素材の再生を開始させる制御を行う制御手段を具備する。【選択図】図１
2018160787.tif 000002
【特許請求の範囲】
【請求項１】
複数の再生装置が同期して同じ素材を再生するように制御することが可能な冗長性を有する放送システムに適用される制御装置であって、
第１の再生装置が現用系として素材を再生中であるのに対してその再生に同期した再生を第２の再生装置が行っていない状態において、所定の信号を受信した場合に、前記第１の再生装置が当該素材の再生を開始したときの再生開始時刻と当該素材の再生開始位置と現在時刻とに基づいて、前記第１の再生装置が現在再生している当該素材の再生位置を求め、前記第２の再生装置に前記求めた再生位置と同じ位置から同じ素材の再生を開始させる制御を行う制御手段を具備する制御装置。
【請求項２】
前記制御手段は、前記第１の再生装置が現在再生している素材の再生位置を、当該素材の再生開始位置を示す値に再生開始時刻と現在時刻との差分の値を加算する演算を行うことによって求める、請求項１に記載の制御装置。
【請求項３】
前記制御手段は、前記第１の再生装置が現用系として素材を再生中であるのに対して前記第２の再生装置がテスト中である状態において、前記所定の信号を受信した場合に、当該テストを終了もしくは中断して前記制御を実施する請求項１又は２に記載の制御装置。
【請求項４】
前記制御手段は、前記第１の再生装置が現用系として素材を再生中であるのに対して前記第２の再生装置がメンテナンス中である状態において、前記所定の信号を受信した場合に、当該メンテナンスを終了もしくは中断して前記制御を実施する請求項１乃至３のいずれか１項に記載の制御装置。
【請求項５】
前記第１の再生装置の再生出力に障害が生じている場合、前記制御手段が実施する前記制御に加え、前記第１の再生装置に代えて前記第２の再生装置の再生出力が放送に使用されるように系統を切り替える制御を行う手段をさらに具備する、請求項１乃至４のいずれか１項に記載の制御装置。
【請求項６】
請求項１乃至５のいずれか１項に記載の制御装置を備えた放送システム。
【請求項７】
複数の再生装置が同期して同じ素材を再生するように制御することが可能な冗長性を有する放送システムに適用される再生制御方法であって、
第１の再生装置が現用系として素材を再生中であるのに対してその再生に同期した再生を第２の再生装置が行っていない状態において、所定の事象が生じた場合に、制御装置により、前記第１の再生装置が当該素材の再生を開始したときの再生開始時刻と当該素材の再生開始位置と現在時刻とに基づいて、前記第１の再生装置が現在再生している当該素材の再生位置を求め、前記第２の再生装置に前記求めた再生位置と同じ位置から同じ素材の再生を開始させる制御を行う、再生制御方法。
【発明の詳細な説明】
【技術分野】
【０００１】
本発明の実施形態は、放送システム、制御装置、および再生制御方法に関する。
【背景技術】
【０００２】
例えば２４時間稼働し続けるシステムなどでは、システムの信頼性向上のため、同じ構成の機器などを複数系統分用意する冗長化が施されている。それにより、システム障害発生時には、システムの運用を行う系統が例えば１系統目（現用系）から２系統目（予備系）に自動的に切り替わり、システムの停止を防ぐことができるようになっている。
【０００３】
放送局の放送マスターシステムにおいても、障害発生時の放送事故を未然に防ぐため、システムを２重化するなどの冗長化が施されている。
【先行技術文献】
【特許文献】
【０００４】
【特許文献１】特開２００１−２５８００３号公報
【特許文献２】特開２００８−２２７５９９号公報
【特許文献３】特開２０１０−２１２７４６号公報
【発明の概要】
【発明が解決しようとする課題】
【０００５】
キー局などでは、運用者の教育や番組編成データのシミュレーションなどの運用テストを行う「テスト系」として３系統目も導入しているが、地方局などでは、費用面のハードルの高さから、現用系と予備系からなる２重化システムを導入している。
【０００６】
運用テストを行う際は、例えば予備系をテストモードに設定し、現用系のみでシステムが運用される。ここで、予備系をテストモードから運用モードに切り替える際、既存のシステムではオンエアする素材が切り替わるタイミングで、予備系は現用系がオンエアする素材と同期してオンエアできるようになる。
【０００７】
しかし、尺の長い素材のオンエア中においては、テストモードを運用モードに切り替えても、次の素材に切り替わるまでの待ち時間が発生するため、即座に予備系を現用系に同期させて冗長性を確保し直すということができない。
【０００８】
このような問題は、運用テストを行った場合に限らず、メンテナンスを行った場合など、予備系が現用系に対して非同期の状態となった場合に起こり得る問題である。また、予備系の場合に限らず、別の系においても同様に起こり得る問題である。
【０００９】
発明が解決しようとする課題は、現用系と非同期の状態にある系統を即座に現用系に同期させて冗長性を確保し直すことを可能にする放送システム、制御装置、および再生制御方法を提供することにある。
【課題を解決するための手段】
【００１０】
実施形態の制御装置は、複数の再生装置が同期して同じ素材を再生するように制御することが可能な冗長性を有する放送システムに適用される制御装置であって、第１の再生装置が現用系として素材を再生中であるのに対してその再生に同期した再生を第２の再生装置が行っていない状態において、所定の信号を受信した場合に、前記第１の再生装置が当該素材の再生を開始したときの再生開始時刻と当該素材の再生開始位置と現在時刻とに基づいて、前記第１の再生装置が現在再生している当該素材の再生位置を求め、前記第２の再生装置に前記求めた再生位置と同じ位置から同じ素材の再生を開始させる制御を行う制御手段を具備する。
【図面の簡単な説明】
【００１１】
【図１】実施形態に係る放送マスターシステムの概略構成を示す図。
【図２】従来技術と本実施形態との制御の違いを示すタイムチャート。
【図３】実施形態における動作の一例を示すフローチャート。
【図４】実施形態における動作の別の例を示すフローチャート。
【発明を実施するための形態】
【００１２】
以下、図面を参照して、実施の形態について説明する。
【００１３】
図１は、実施形態に係る放送マスターシステム（以下、「放送システム」）の概略構成を示す図である。
【００１４】
図１に示される放送システムは、複数の再生装置が同期して同じ素材を再生するように制御することが可能な冗長性を有するシステムであり、複数の系統１０（例えば、１系と２系）と、制御卓３０と、系統出力切替装置４０とを備えている。なお、ここでは、複数の系統１０が１系と２系の２種類の系統（現用系および予備系）で構成される場合を例示するが、これに限定されるものではなく、例えば３種類以上の系統（例えば、現用系、予備系、保守系など）で構成されるようにしてもよい。
【００１５】
図１に示されるように、１系と２系とはそれぞれ共通する構成要素を備えている。１系は、制御装置１１、ビデオサーバ（再生装置）１２、および伝送部１３を備えており、２系は、制御装置２１、ビデオサーバ（再生装置）２２、および伝送部２３を備えている。なお、このほかに、別の要素がさらに備えられていても構わない。
【００１６】
制御卓３０は、運用者が各種の操作を行うための各種のボタン類やタッチパネルなどの入力装置を備えた卓であり、運用者が操作を行うことにより制御装置１１，２１にそれぞれ所望の指示信号を送ることができる。
【００１７】
１系側の制御装置１１は、制御装置２１との情報の送受、ビデオサーバ１２の制御を行うことができ、また、場合によっては（例えば、制御対象を切り替える操作が制御卓３０等よりあった場合などに）ビデオサーバ２２の制御を行うこともできる。ビデオサーバ１２は、制御装置１１により制御され、素材を再生し、映像・音声を伝送部１３へ出力することができ、また、場合によっては制御装置２１により制御されたり、映像・音声を伝送部２３へ出力したりすることもできる。伝送部１３は、ビデオサーバ１２から出力される映像・音声を系統出力切替装置４０へ伝送することができ、また、場合によってはビデオサーバ２２から出力される映像・音声を系統出力切替装置４０へ伝送することもできる。
【００１８】
同様に、２系側の制御装置２１は、制御装置１１との情報の送受、ビデオサーバ２２の制御を行うことができ、また、場合によってはビデオサーバ１２の制御を行うこともできる。ビデオサーバ２２は、制御装置２１により制御され、素材を再生し、映像・音声を伝送部２３へ出力することができ、また、場合によっては制御装置１１により制御されたり、映像・音声を伝送部１３へ出力したりすることもできる。伝送部２３は、ビデオサーバ２２から出力される映像・音声を系統出力切替装置４０へ伝送することができ、また、場合によってはビデオサーバ１２から出力される映像・音声を系統出力切替装置４０へ伝送することもできる。
【００１９】
系統出力切替装置４０は、放送に使用する系統出力の切り替えを行うものであり、１系の伝送部１３から伝送されてくる映像・音声と、２系の伝送部２３から伝送されてくる映像・音声との、いずれか一方のみを選択して、送信機Ｔへ送り出す。送信機Ｔは、系統出力切替装置４０から送られてくる映像・音声を放送波として送信する。
【００２０】
上述した個々の要素は、ネットワークで接続され、互いに通信を行うことが可能である。この場合の通信は、有線に限定されず、無線であってもよい。
【００２１】
１系と２系とは、現用系と予備系とからなる２重化システムを構成する。１系が現用系である場合には２系は予備系となる。一方、２系が現用系である場合には１系は予備系となる。現用系として動作する系統に障害が発生した場合には、１系と２系との間で現用系と予備系との入れ替え（システムチェンジ）が行われる。
【００２２】
ここでは、図１中に示される１系が現用系で、２系が予備系の状態にある場合を考える。
【００２３】
現用系においては、制御装置１１が、例えば自身が保有するスケジュールに従って、ビデオサーバ１２に個々の素材を順次再生させることにより、ビデオサーバ１２から再生される個々の素材の映像・音声が伝送部１３へと順次供給される。伝送部１３に供給された映像・音声は系統出力切替装置４０を介して送信機Ｔへ送られる。
【００２４】
なお、各素材の再生をビデオサーバ１２に開始させる制御は、上記スケジュールに従って行われる場合のほか、他のシステム（図示せず）からの指示に従って行われる場合や、制御卓３０からの指示に従って行われる場合もあり得る。
【００２５】
予備系においても、現用系に同期して制御装置２１がビデオサーバ２２に個々の素材を順次再生させることにより、ビデオサーバ２２から再生される個々の素材の映像・音声が伝送部２３へと順次供給される。
【００２６】
ここで、ビデオサーバ１２が素材を再生中であるのに対してその再生に同期した再生をビデオサーバ２２が行っていない状態になった場合（例えば、予備系がテストモードになった場合、あるいはメンテナンス実施中の状態になった場合）を考える。
【００２７】
この場合、現用系の制御装置１１は、ビデオサーバ１２に再生させている素材を切り替えて新たな素材の再生を開始させるに際し、その素材の再生を開始したときの再生開始時刻と当該素材の再生開始位置とを予備系の制御装置２１に通知する。なお、素材の再生開始位置は、素材の先頭位置であるとは限らず、素材の途中の位置である場合もあり得る。
【００２８】
一方、予備系の制御装置２１は、現用系の制御装置１１から通知された再生開始時刻と再生開始位置とを、後述する演算に使用するために所定の記憶媒体に記憶する。
【００２９】
運用者が制御卓３０を操作することによって、予備系に対して運用モードへの移行を指示した場合には、予備系の制御装置２１は、制御卓３０から運用モードへの移行を指示する信号を受信する。予備系の制御装置２１はその信号を受信した場合、上記記憶媒体に記憶しておいた、ビデオサーバ１２が素材の再生を開始したときの再生開始時刻と当該素材の再生開始位置と、現在時刻とに基づいて、ビデオサーバ１２が現在再生している当該素材の再生位置を求める演算を行い、ビデオサーバ２２にその求めた再生位置と同じ位置から同じ素材の再生を開始させる制御を行う。具体的には、制御装置２１は、ビデオサーバ１２が現在再生している素材の再生位置を、当該素材の再生開始位置を示す値に再生開始時刻と現在時刻との差分の値を加算する演算を行うことによって求める。
【００３０】
予備系の制御装置２１は、例えばビデオサーバ２２がテスト中である状態において、制御卓３０から運用モードへの移行を指示する信号を受信した場合には、当該テストを終了もしくは中断して上記制御を実施する。また、例えばビデオサーバ２２がメンテナンス中である状態において、制御卓３０から運用モードへの移行を指示する信号を受信した場合には、当該メンテナンス中を終了もしくは中断して上記制御を実施する。
【００３１】
また、制御卓３０もしくは他のシステムは、現用系のビデオサーバ１２の再生出力などに障害が生じている場合には、制御装置２１が実施する上記制御に加え、ビデオサーバ１２の再生出力に代えてビデオサーバ２２の再生出力が放送に使用されるように系統を切り替える（現用系と予備系との関係を入れ替えるシステムチェンジを行う）ための操作を行うことが可能である。
【００３２】
例えば、運用者が現用系での障害の発生を認識した場合には、運用者が制御卓３０を操作することによって、予備系に対して運用モードへの移行を指示すると同時に、システムチェンジも指示するようにしてもよい。その場合、予備系の制御装置２１は、制御卓３０から運用モードへの移行を指示する信号に加えて、システムチェンジを指示する信号を受信することができ、運用モードへの移行の指示とシステムチェンジの指示の両方を確実に実行することができる。
【００３３】
ここで、図２（ａ）（ｂ）の各タイムチャートを参照して、従来技術と本実施形態との制御の違いについて説明する。
【００３４】
図２（ａ）に示す従来技術の制御手順によれば、次のようになる。
【００３５】
例えば、現用系がイベント０の素材を再生しているのに対し、予備系がテストイベントのテストを行っている状態にあるものとする。
【００３６】
現用系は、例えば時刻ｔ１でイベント０の再生を終えて新たなイベント１の再生を開始する。
【００３７】
この後、予備系は、時刻ｔ２でテストイベントのテストを終了する。このとき、予備系のテストモードを運用モードに切り替えても、尺の長いイベント１の再生中においては、次のイベント２に切り替わるまでの待ち時間が発生するため、即座に予備系を現用系に同期させて冗長性を確保し直すということができない。そのため、予備系は、現用系が時刻ｔ３でイベント１の再生を終えて新たなイベント２の再生を開始するタイミングで、同じイベント２の再生を開始し、現用系と同期させて冗長性を確保し直す。
【００３８】
一方、図２（ｂ）に本実施形態の制御手順によれば、次のようになる。
【００３９】
図２（ａ）の場合と同様に、現用系がイベント０の素材を再生しているのに対し、予備系がテストイベントのテストを行っている状態にあるものとする。
【００４０】
現用系は、例えば時刻ｔ１でイベント０の再生を終えて新たなイベント１の再生を開始する。このとき、現用系は、イベント１の再生を開始したときの再生開始時刻ｔ１と当該素材の再生開始位置とを予備系に通知する。
【００４１】
予備系は、現用系の制御装置１１から通知された再生開始時刻ｔ１と再生開始位置とを所定の記憶媒体に記憶しておく。
【００４２】
その後、予備系は、時刻ｔ２でテストイベントのテストを終了したタイミングで制御卓３０から運用モードへの移行を指示する信号を受信する。このとき、予備系は、現用系が現在再生しているイベント１の再生位置を、当該イベント１の再生開始位置に再生開始時刻ｔ１と現在時刻ｔ２との差分の値を加算する演算を行うことによって求め、その求めた再生位置と同じ位置から同じイベント１の再生を開始させる。これにより、テストを終了したタイミングで待ち時間なく即座に予備系を現用系に同期させて冗長性を確保し直すことができる。
【００４３】
その後、予備系は、現用系が時刻ｔ３でイベント１の再生を終えて新たなイベント２の再生を開始すると、そのタイミングで同じイベント２の再生を開始する。
【００４４】
次に、図３を参照して、本実施形態における動作の一例を説明する。
【００４５】
ここでは、図１中に示される１系が現用系で、２系が予備系の状態にあるものとする。
【００４６】
いま、現用系が素材を再生中であるのに対し、予備系はテストモード中の状態（すなわち、現用系と非同期の状態）にある（ステップＳ１１）。
【００４７】
現用系の制御装置１１は、ビデオサーバ１２に個々の素材を順次再生させており、ビデオサーバ１２に再生させている素材を切り替えて新たな素材の再生を開始させるに際して、その素材の再生を開始したときの再生開始時刻と当該素材の再生開始位置とを予備系の制御装置２１に通知する（ステップＳ１２のＹＥＳ、ステップＳ１３）。
【００４８】
予備系の制御装置２１は、現用系の制御装置１１から通知された再生開始時刻と再生開始位置とを、後述する演算に使用するために所定の記憶媒体に記憶する（ステップＳ１４）。
【００４９】
運用者が制御卓３０を操作することによって、予備系に対してテストモードから運用モードへの切り替えを指示した場合には、予備系の制御装置２１は、制御卓３０から運用モードへの移行を指示する信号を受信する（ステップＳ１５のＹＥＳ）。予備系の制御装置２１はその信号を受信すると、上記記憶媒体に記憶しておいた、ビデオサーバ１２が素材の再生を開始したときの再生開始時刻と当該素材の再生開始位置と、現在時刻とに基づいて（具体的には、当該素材の再生開始位置を示す値に再生開始時刻と現在時刻との差分の値を加算する演算を行うことによって）、ビデオサーバ１２が現在再生している当該素材の再生位置を求め（ステップＳ１７）、ビデオサーバ２２にその求めた再生位置と同じ位置から同じ素材の再生を開始させる制御を行う（ステップＳ１８）。
【００５０】
このように、上記動作例によれば、予備系が現用系と非同期のテストを行っている状態において、テストを終了したタイミングで待ち時間なく即座に予備系を現用系に同期させて冗長性を確保し直すことができる。
【００５１】
なお、テストモード中に運用者が現用系での障害の発生を認識した場合には、運用者が制御卓３０を操作することによって、予備系に対して運用モードへの移行を指示すると同時に、システムチェンジも指示するようにしてもよい。その場合、制御装置２１が実施するステップＳ１６〜Ｓ１８の処理に加え、例えば制御装置１１，２１の上位の制御システム（図示せず）が、ビデオサーバ１２の再生出力に代えてビデオサーバ２２の再生出力が放送に使用されるようにシステムチェンジを行う。これにより、運用モードへの移行の指示とシステムチェンジの指示の両方を確実に実行することができる。
【００５２】
次に、図４を参照して、本実施形態における動作の別の例を説明する。
【００５３】
ここでは、図１中に示される１系が現用系で、２系が予備系の状態にあるものとする。
【００５４】
いま、現用系が素材を再生中であるのに対し、予備系はメンテナンス中の状態（すなわち、現用系と非同期の状態）にある（ステップＳ２１）。
【００５５】
現用系の制御装置１１は、ビデオサーバ１２に個々の素材を順次再生させており、ビデオサーバ１２に再生させている素材を切り替えて新たな素材の再生を開始させるに際して、その素材の再生を開始したときの再生開始時刻と当該素材の再生開始位置とを予備系の制御装置２１に通知する（ステップＳ２２のＹＥＳ、ステップＳ２３）。
【００５６】
予備系の制御装置２１は、現用系の制御装置１１から通知された再生開始時刻と再生開始位置とを、後述する演算に使用するために所定の記憶媒体に記憶する（ステップＳ２４）。
【００５７】
運用者が制御卓３０を操作することによって、予備系に対して運用モードへの復帰（もしくは現用系との等価処理）を指示した場合には、予備系の制御装置２１は、制御卓３０から運用モードへの移行を指示する信号を受信する（ステップＳ２５のＹＥＳ）。予備系の制御装置２１はその信号を受信すると、上記記憶媒体に記憶しておいた、ビデオサーバ１２が素材の再生を開始したときの再生開始時刻と当該素材の再生開始位置と、現在時刻とに基づいて（具体的には、当該素材の再生開始位置を示す値に再生開始時刻と現在時刻との差分の値を加算する演算を行うことによって）、ビデオサーバ１２が現在再生している当該素材の再生位置を求め（ステップＳ２７）、ビデオサーバ２２にその求めた再生位置と同じ位置から同じ素材の再生を開始させる制御を行う（ステップＳ２８）。
【００５８】
このように、上記動作例によれば、予備系が現用系と非同期のメンテナンスを行っている状態において、メンテナンスを終了したタイミングで待ち時間なく即座に予備系を現用系に同期させて冗長性を確保し直すことができる。
【００５９】
なお、メンテナンス中に運用者が現用系での障害の発生を認識した場合には、運用者が制御卓３０を操作することによって、予備系に対して運用モードへの移行を指示すると同時に、システムチェンジも指示するようにしてもよい。その場合、制御装置２１が実施するステップＳ２６〜Ｓ２８の処理に加え、例えば制御装置１１，２１の上位の制御システム（図示せず）が、ビデオサーバ１２の再生出力に代えてビデオサーバ２２の再生出力が放送に使用されるようにシステムチェンジを行う。これにより、運用モードへの移行の指示とシステムチェンジの指示の両方を確実に実行することができる。
【００６０】
以上詳述したように、実施形態によれば、現用系と非同期の状態にある系統を即座に現用系に同期させて冗長性を確保し直すことができる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１０…複数の系統、１１，２１…制御装置、１２，２２…ビデオサーバ、１３，２３…伝送部、３０…制御卓、４０…系統出力切替装置、Ｔ…送信機。
【図１】
2018160787.tif 000003
【図２】
2018160787.tif 000004
【図３】
2018160787.tif 000005
【図４】
2018160787.tif 000006